(57)【特許請求の範囲】
【請求項１】
便器本体から排出される汚水に含まれる汚物を攪拌して、汚水とともに下流の排水管へと圧送する圧送式トイレ装置であって、
前記便器本体への洗浄水の供給を開始または停止させる給水手段と、前記便器本体から排出される汚水及びこの汚水に含まれる汚物を貯留する貯留槽と、この貯留槽の内部で汚物を攪拌する攪拌手段と、この攪拌手段により攪拌された汚物及び汚水を下流側へと圧送する圧送手段と、前記貯留槽の内部の水位を検知する水位検知手段と、を有する圧送装置と、この圧送装置の動作を制御する制御部と、を備え、
前記制御部からの指令に基づいて報知を実行する報知手段と、を有し、
前記制御部は、
前記攪拌手段及び前記圧送手段が動作を開始してから所定時間経過した場合、前記水位検知手段により検知される水位が予め決められた所定水位以上か否かを判定することで、前記排水管が汚水及び攪拌された汚物を圧送可能な配管であるか否かを判定する排水管判定動作を行う制御を実行し、
この排水管判定動作において、前記水位検知手段により検知される水位が予め決められた所定水位以上であると判定した場合、前記給水手段による洗浄水の供給ならびに前記攪拌手段及び前記圧送手段の動作を禁止するとともに、前記排水管が汚水及び攪拌された汚物を圧送不可能な配管であることを前記報知手段により報知する制御を実行することを特徴とする圧送式トイレ装置。
【請求項２】
前記制御部は、
前記便器本体を前記給水手段により供給される洗浄水にて洗浄し、この洗浄で発生する汚水及び汚水に含まれる汚物を前記貯留槽にて貯留し、汚物を前記攪拌手段により攪拌するとともに、前記圧送手段により前記排水管へ圧送し、通常の洗浄を実行する洗浄運転モードと、
前記給水手段により所定時間だけ給水させることで前記便器本体から洗浄水を排出させ、この洗浄水を前記貯留槽にて貯留し、前記攪拌手段及び前記圧送手段を所定時間動作させた後、前記排水管判定動作を行い、前記排水管が汚水及び攪拌された汚物を圧送可能な配管であるか否かを判定する試運転モードと、
を備え、
前記試運転モードにおける前記攪拌手段及び前記圧送手段の動作は、前記洗浄運転モードにおける前記攪拌手段及び前記圧送手段の動作よりも、低い速度で実行されることを特徴とする請求項１に記載の圧送式トイレ装置。
【発明の詳細な説明】
【技術分野】
【０００１】
本発明は、便器本体から排出される汚水に含まれる汚物を攪拌し、汚水とともに圧送する圧送式トイレ装置に関する。
【背景技術】
【０００２】
従来、便器は予め設計施工されたトイレ空間に設置されるものであって、そのトイレ空間の場所によって適切な排水管の勾配が定められ、汚水及び汚水に含まれる汚物を下水へと排出するように構成されていた。一方で、排水管の適切な勾配が確保されない場所にも対応するため、汚物を攪拌手段により攪拌し、攪拌した汚物を汚水とともに圧送手段により下流へと圧送する圧送式トイレ装置が提案されている。（例えば、特許文献１参照）。
この圧送式トイレ装置は、立ち上がり配管や管径が細く内部での圧力損失が高い配管等の、汚水及び汚水に含まれる汚物が下流へと流れて行きにくい配管に対しても、一定の圧送能力を備えている。そのため、従来設置できなかった場所への便器の設置を可能にするものである。
【先行技術文献】
【特許文献】
【０００３】
【特許文献１】特開２００６−０１６９５８号公報
【発明の概要】
【発明が解決しようとする課題】
【０００４】
圧送式トイレ装置は、上述した通り、その下流側の下水へと通じる排水管が、立ち上がり配管や内部での圧力損失が高い配管等の、汚水及び汚水に含まれる汚物が流れて行きにくい配管であっても、一定の圧送能力を備える。ただし、立ち上がり配管が便器本体よりも高所へと通じている、あるいは、配管内の圧力損失があまりにも高い等の場合には、圧送式トイレ装置の排水が下流側へと流れていかないおそれがある。それにより、圧送できない汚水及び汚水に含まれる汚物が逆流し、以降の圧送時に圧送を妨げてしまうだけでなく、排水管が下流側への圧送が不可能な配管であることに使用者が気付かずに給水が実行され続けた場合、便器本体からトイレ空間へ水が溢れて（溢水して）しまう可能性がある。便器本体から溢水してしまう場合、汚水及び汚水に含まれる汚物が圧送式トイレ装置の設置場所の周囲を汚してしまい衛生性が損なわれるという問題がある。
【０００５】
そこで、本発明は、上述した課題を解決するためになされたものであり、圧送式トイレ装置の下流側の排水管が汚水及び汚水に含まれる汚物を圧送不可能な配管である場合に、それを報知するとともに便器本体からトイレ空間への溢水を防ぐことが可能な圧送式トイレ装置を提供することを目的とする。
【課題を解決するための手段】
【０００６】
本発明にかかる圧送式トイレ装置では、便器本体から排出される汚水に含まれる汚物を攪拌して、汚水とともに下流の排水管へと圧送する圧送式トイレ装置であって、便器本体への洗浄水の供給を開始または停止させる給水手段と、便器本体から排出される汚水及びこの汚水に含まれる汚物を貯留する貯留槽と、貯留槽の内部で汚物を攪拌する攪拌手段と、攪拌手段により攪拌された汚物及び汚水を下流側へと圧送する圧送手段と、貯留槽の内部の水位を検知する水位検知手段と、を有する圧送装置と、圧送装置の動作を制御する制御部と、を備え、制御部からの指令に基づいて報知を実行する報知手段と、を有し、制御部は、攪拌手段及び圧送手段が動作を開始してから所定時間経過した場合、水位検知手段により検知される水位が予め決められた所定水位以上か否かを判定することで、排水管が汚水及び攪拌された汚物を圧送可能な配管であるか否かを判定する排水管判定動作を行う制御を実行し、排水管判定動作において、水位検知手段により検知される水位が予め決められた所定水位以上であると判定した場合、給水手段による洗浄水の供給ならびに攪拌手段及び圧送手段の動作を禁止するとともに、排水管が汚水及び攪拌された汚物を圧送不可能な配管であることを報知手段により報知する制御を実行することを特徴とする圧送式トイレ装置である。
【０００７】
このように構成された本発明においては、制御部は、攪拌手段及び圧送手段の動作開始から所定時間経過した際に、水位検知手段が所定以上の水位を検知した場合には、汚水及び攪拌された汚物が圧送装置から排出されていないと判断し、給水手段による洗浄水の供給ならびに攪拌手段及び圧送手段の動作を禁止するとともに、排水管が下流側に汚水及び攪拌された汚物を圧送できない配管であることを報知する。そのため、排水管が圧送によって汚水及び攪拌された汚物を十分に圧送できない場合において、使用者がそれを知ることができるとともに、給水が行われることがなく、便器本体からの溢水を防ぐことができる。その結果、圧送式トイレ装置の設置場所の衛生性を確保することが可能となる。
【０００８】
また、本発明にかかる圧送式トイレ装置は、制御部は、便器本体を給水手段により供給される洗浄水にて洗浄し、洗浄で発生する汚水及び汚水に含まれる汚物を貯留槽にて貯留し、汚物を攪拌手段により攪拌するとともに、圧送手段により排水管へ圧送し、通常の洗浄を実行する洗浄運転モードと、給水手段により所定時間だけ給水させることで便器本体から洗浄水を排出させ、洗浄水を貯留槽にて貯留し、攪拌手段及び圧送手段を所定時間動作させた後、排水管判定動作を行い、排水管が汚水及び攪拌された汚物を圧送可能な配管であるか否かを判定する試運転モードと、を備え、試運転モードにおける攪拌手段及び圧送手段の動作は、洗浄運転モードにおける攪拌手段及び圧送手段の動作よりも、低い速度で実行されることを特徴とする圧送式トイレ装置である。
【０００９】
このように構成された本発明においては、圧送式トイレ装置の排水管が汚水及び攪拌された汚物を圧送可能か否かを判定する試運転モードにおいて、攪拌手段及び圧送手段の動作を、洗浄運転モード時よりも低い速度で実行する。それにより、攪拌及び圧送の能力が低減された状態で試運転モードが行われるので、より確実に圧送が可能な排水管のみが、圧送可能な配管であると判定される。よって、便器本体からの溢水に対する安全性をさらに高めることができる。
【発明の効果】
【００１０】
本発明の圧送式トイレ装置によれば、攪拌手段及び圧送手段の動作開始から所定時間経過後に、水位検知手段が所定以上の水位を検知した場合には、給水手段による洗浄水の供給ならびに攪拌手段及び圧送手段の動作を禁止するとともに、排水管が下流側に汚水及び攪拌された汚物を圧送不可能な排水管であることを報知する。そのため、排水管が圧送によって汚水及び攪拌された汚物を十分に圧送できない場合において、それを使用者が知ることができるとともに、給水が行われることがなく、便器本体からの溢水を防ぐことができる。
【図面の簡単な説明】
【００１１】
【図１】本発明の一実施形態における圧送式トイレ装置を示す概略構成図
【図２】本発明の一実施形態における圧送式トイレ装置の制御的な構成を示すブロック図
【図３】本発明の一実施形態における洗浄運転モードを示すフローチャート
【図４】本発明の一実施形態における試運転モードを示すフローチャート
【発明を実施するための形態】
【００１２】
以下、添付図面を参照して本発明の一実施形態における圧送式トイレ装置について説明する。
図１は本発明の一実施形態における圧送式トイレ装置を示す概略構成図である。図１に示すように、本実施形態において圧送式トイレ装置１は、便器本体２と、便器本体２への洗浄水の供給を開始または停止する排水弁４（給水手段）と、便器本体２から排出される汚水に含まれる汚物を攪拌し、汚水とともに下水へ通じる下流側の排水管６へ圧送する圧送装置８と、圧送装置８の動作を制御する制御部９とを備える。
【００１３】
排水弁４は、図示しない給水源から供給される洗浄水を貯留するロータンク１０の内部に設けられ、開動作を行うことで便器本体２へと洗浄水を供給する。排水弁４の開閉動作は便器本体２へ水を溜めるための給水操作を検知する給水操作検知手段１１、及び、便器本体２への洗浄操作を検知する洗浄操作検知手段１２により行なわれる。給水操作検知手段１１及び洗浄操作検知手段１２としては、便器本体２あるいは室内の便器本体２周辺に設けられるリモコンの操作パネル上のスイッチ等が利用される。なお、給水操作検知手段１１を設けず、洗浄操作検知手段１２により給水操作及び洗浄操作をともに検知する構成としても良い。
【００１４】
排水弁４の上流側には、洗浄水に含まれる異物を取り除くストレーナ１４が設けられている。このストレーナ１４の下流かつ排水弁４の上流には、給水経路１５を開閉させる電磁弁１６が設けられている。また、ロータンク１０の内部には、内蔵する弁をロータンク１０内部の水位に応じて開閉して、電磁弁１６の開動作により供給される洗浄水の貯留の開始及び停止を行うボールタップ１７が設けられる。
【００１５】
圧送装置８は、便器本体２の排出口１８に連通し排出口１８から排出される汚水及び汚水に含まれる汚物やトイレットペーパ等の汚物１９を貯留する貯留槽２０を有する。貯留槽２０の内部には、汚物１９を回転運動により攪拌するパルセータ２２（攪拌手段）と、汚水及び攪拌された汚物１９を回転運動により下水に通じる排水管６へ圧送するインペラ２４（圧送手段）とが設けられる。パルセータ２２の回転軸２６の下端にはインペラ２４が設けられ、上端には回転軸２６を回転駆動させるモータ２８が取り付けられている。
【００１６】
貯留槽２０には、貯留槽２０の内部の水位を検知する水位センサ３０（水位検知手段）が取り付けられている。水位センサ３０は、貯留槽２０の内部において上方から下方に向けて垂設される導圧管３０ａと、導圧管３０ａの上端に取り付けられダイヤフラム等からなる感圧部３０ｂとを有している。導圧管３０ａは下端部が開口しているため、水没することで、導圧管３０ａの内部の空気に対して水圧に応じた圧力がかかる。その空気に対する圧力を介して、感圧部３０ｂにより水圧を感知することで、その水圧に応じた水位を検知することが可能となる。
【００１７】
さらに、本実施形態における圧送式トイレ装置１は、パルセータ２２及びインペラ２４における故障等の異常を検知する異常検知手段３１を備えている。異常検知手段３１は、ホールＩＣ等から構成されモータ２８の回転数を検知する回転数センサ、あるいは、モータ２８の電流や電圧等を検出してその検出した値の程度によってモータ２８の動作状況を判断する検知装置等が利用される。
【００１８】
制御部９は、詳細は後述するが、排水弁４の開閉ならびにモータ２８の回転速度及び回転時間等を制御する。さらに、制御部９には、水位センサ３０により検知される水位や、異常検知手段３１により検知されるパルセータ２２及びインペラ２４における異常等に基づいて、使用者に対して圧送式トイレ装置１の運転状況を報知する、報知手段３２が接続されている。報知手段３２はＬＥＤランプや警報音を発するブザー等から構成される。また、使用者の便器本体２への着座や接近を検知する人体検知センサ３４が接続されても良い。
【００１９】
次に、図２を参照して本発明の一実施形態における圧送式トイレ装置の制御部の機能的な構成について説明する。図２は、本発明の一実施形態における圧送式トイレ装置の制御的な構成を示すブロック図である。
図２に示すように、制御部９は、ＣＰＵ９０と、タイマ９２と、メモリ９４（記憶手段）と、インターフェイスとしての操作受付部９００、水位検知部９０２、異常検知部９０４、人体検知部９０６、排水弁駆動部９０８、電磁弁駆動部９０９、モータ駆動部９１０、報知実行部９１２と、を有する。
【００２０】
操作受付部９００は、給水操作検知手段１１及び洗浄操作検知手段１２から入力される操作信号をＣＰＵ９０に出力する部分である。水位検知部９０２は、水位センサ３０から出力される水位信号をＣＰＵ９０に出力する部分である。異常検知部９０４は、異常検知手段３１から出力される異常検知信号をＣＰＵ９０に出力する部分である。人体検知部９０６は、人体検知センサ３４から出力される人体検知信号をＣＰＵ９０に出力する部分である。
【００２１】
排水弁駆動部９０８及び電磁弁駆動部９０９は、ＣＰＵ９０から出力される制御信号に基づいて排水弁４及び電磁弁１６に弁駆動信号を出力する部分である。モータ駆動部９１０は、ＣＰＵ９０から出力される制御信号に基づいて、パルセータ２２及びインペラ２４を回転させるモータ２８に回転速度や回転時間等のモータ駆動信号を出力する部分である。報知実行部９１２は、ＣＰＵ９０から出力される制御信号に基づいて報知手段３２に異常報知や運転報知を行う報知実行信号を出力する部分である。
【００２２】
ＣＰＵ９０は、操作受付部９００、水位検知部９０２、異常検知部９０４、人体検知部９０６のそれぞれから出力される信号を受け取って所定の情報処理を行い、その情報処理の結果実行する制御に応じた制御信号を排水弁駆動部９０８、電磁弁駆動部９０９、モータ駆動部９１０、報知実行部９１２のそれぞれに出力する。その結果、ＣＰＵ９０は、排水管判定動作実行手段、排水管判定手段、運転モード選択手段、洗浄運転モード実行手段、試運転モード実行手段、水位判定手段、異常判定手段、弁駆動時間判定手段、モータ駆動時間判定手段として機能する。このように構成された制御部９は、圧送式トイレ装置１が使用状況の特性や使用者の特性に合わせて様々な制御を行うことが可能になる。
【００２３】
制御部９は、モータ駆動部９１０によりモータ２８、即ちパルセータ２２及びインペラ２４を動作開始させてから所定時間が経過したか否かをタイマ９２からの情報を基に判定するモータ駆動時間判定手段と、水位センサ３０により検知される水位が所定以上か否かを判定する水位判定手段と、を有する。さらに、制御部９は、モータ駆動時間判定手段がモータ２８の動作開始から所定時間が経過したと判定した場合に、水位判定手段により排水管６が汚水及び攪拌された汚物１９を圧送可能な配管であるか否かを判定する排水管判定動作を実行する排水管判定動作実行手段と、を有する。
【００２４】
この排水管判定動作において、制御部９は、水位判定手段が水位を所定以上であると判定した場合、排水弁４による洗浄水の供給ならびにパルセータ２２及びインペラ２４の動作を禁止する処理をメモリ９４に記憶させる（圧送不可能配管フラグをオンにする）。それとともに、排水管６が汚水及び攪拌された汚物１９を圧送できない配管であることを報知手段３２により報知する。なお、制御部９は、排水管判定手段を有しており、この排水管判定手段によりメモリ９４に記憶された情報（圧送不可能配管フラグ）から、排水管６が圧送可能な配管であるか否かを判定する。
【００２５】
また、制御部９は、タイマ９２や、給水操作検知手段１１及び洗浄操作検知手段１２あるいは人体検知センサ３４からの出力信号に基づいて、後述する２つの異なる運転モード（洗浄運転モード及び試運転モード）の内、１つを選択して実行する運転モード選択手段を有する。運転モード選択手段により運転モードが選択されると、制御部９は選択された運転モードを実行手段（洗浄運転モード実行手段及び試運転モード実行手段）により実行する。
【００２６】
さらに、制御部９は、異常検知部９０４からの異常検知信号に基づいてパルセータ２２及びインペラ２４における故障等の異常の有無があるか否かを判定する異常判定手段と、給水弁駆動部９０８により排水弁４を動作開始させてから所定時間が経過したか否かをタイマ９２からの情報を基に判定する給水弁駆動時間判定手段と、を有する。
【００２７】
以下、図３及び図４を参照して本実施形態における制御部が実行する上記２つの制御モードについて説明する。まず、本実施形態における通常の洗浄運転モードを示すフローチャートである図３により、洗浄運転モードについて説明する。
図３に示すように、運転モード選択手段により洗浄運転モードが選択されることで、洗浄運転モード実行手段により洗浄運転モードが開始され（ステップＳ１０１）、人体検知センサ３４によって使用者が着座あるいは接近したことが検知されるか、あるいは使用者による給水開始操作を給水操作検知手段１１により検知すると（ステップＳ１１１）、制御部９はメモリ９４に記憶された圧送不可能配管フラグＦがオンになっているか否かを判定する（ステップＳ１１２）。
【００２８】
圧送不可能配管フラグＦがオフになっている、即ち排水管６が汚水及び攪拌された汚物１９を圧送不可能な配管ではないと判定している場合（ステップＳ１１２：ＮＯ）、排水弁４が開動作される（ステップＳ１１３）。それにより、ロータンク１０から排水弁４を介して便器本体２内に水を溜めるために洗浄水が給水される。また、この際、同時に制御部９は時間Ｔ４の間だけ電磁弁１６を開動作させる。ロータンク１０内部の水位の低下に応じてボールタップ１７が動作するため、ロータンク１０内部に電磁弁１６を介して洗浄水が貯留される。
【００２９】
制御部９は、水を溜めるための排水弁４の開動作の開始から時間Ｔ３が経過したか否かを判断する（ステップＳ１１５）。時間Ｔ３が経過している場合は、排水弁４を閉止し（ステップ１１７）、圧送式トイレ装置１は、使用可能な状態となる。時間Ｔ３が経過していない場合は、時間Ｔ３が経過するまで便器本体２への溜水用の給水を継続する。
【００３０】
次に、使用者の排泄後に、人体検知センサ３４により離座判定が行われ便器本体２を自動洗浄して良いと判断する（例えば、離座してから所定時間経過後）、あるいは使用者による便器本体２の洗浄開始操作を洗浄操作検知手段１２により検知すると（ステップＳ１１９）、排水弁４を開動作させる（ステップＳ１２１）。それにより、ロータンク１０に貯留された洗浄水が排水弁４を介して、便器本体２に供給される。洗浄水の供給により、汚水及び汚水に含まれる汚物１９が、圧送装置８の貯留槽２０へと便器本体２の排出口１８から排出される。また、この際、同時に制御部９は時間Ｔ６の間だけ電磁弁１６を開動作させる。ロータンク１０内部の水位の低下に応じてボールタップ１７が動作するため、ロータンク１０内部に電磁弁１６を介して洗浄水が貯留される。
【００３１】
制御部９は、洗浄のための排水弁４の開動作の開始から時間Ｔ５が経過したか否かを判断する（ステップＳ１２３）。時間Ｔ５が経過している場合は、パルセータ２２及びインペラ２４を回転させるモータ２８に電圧Ｖ０を印加し始め（ステップＳ１２５）、汚物１９の攪拌、ならびに、攪拌された汚物１９と汚水の排水管６への圧送が開始される。一方で、時間Ｔ５が経過していない場合は、時間Ｔ５が経過するまで攪拌及び圧送を行わずに、排水弁４を開き続けて、便器本体２への洗浄水の供給を続ける。
【００３２】
次に、制御部９は、モータ２８への電圧の印加開始から時間Ｔ７が経過したか否かを判断する（ステップＳ１２７）。時間Ｔ７が経過している場合は、排水弁４を閉止する（ステップＳ１２９）。一方、時間Ｔ７が経過していない場合、時間Ｔ７が経過するまで攪拌及び圧送ならびに便器本体２への洗浄水の供給を継続する。
【００３３】
続いて、制御部９は、モータ２８への電圧の印加開始から時間Ｔ９が（時間Ｔ７より大）経過しているか否かを判断する（ステップＳ１３１）。時間Ｔ９が経過している場合は、水位センサ３０により貯留槽２０内部の水位Ｗを検知し（ステップＳ１３３）、排水管６が汚水及び攪拌された汚物１９を圧送可能な配管であるか否かを判定する排水管判定動作を開始する。なお、ステップＳ１１２において、圧送不可能配管フラグＦがオンになっている、即ち排水管６が汚水及び攪拌された汚物１９を圧送不可能な配管であると判定している場合（ステップＳ１１２：ＹＥＳ）、同様に、水位センサ３０により貯留槽２０内部の水位Ｗを検知し（ステップＳ１３３）、排水管判定動作を開始する。
【００３４】
次に、制御部９は、水位Ｗが所定水位Ｗ１より高いか否かを判定する（ステップＳ１３７）。水位Ｗが所定水位Ｗ１より低い場合（ステップＳ１３７：ＹＥＳ）、圧送不可能配管フラグＦにオフをセットする（ステップＳ１３９）。水位Ｗが所定水位Ｗ１より高い場合（ステップＳ１３７：ＮＯ）には、圧送不可能配管フラグＦにオンをセットし（ステップＳ１４１）し、排水管６が汚水及び攪拌された汚物１９を圧送不可能な配管であることを報知手段３２により報知する（ステップＳ１４３）。
【００３５】
続いて、水位Ｗの高さに関わらず、モータ２８に電圧を印加しているか否かを判定する（ステップＳ１４５）。印加していない場合、洗浄運転モードを終了する（ステップＳ１４９）。印加している場合には、モータ２８への電圧印加を停止して攪拌及び圧送を停止し（ステップＳ１４７）、その後、洗浄運転モードを終了する（ステップＳ１４９）。
【００３６】
制御部９は、パルセータ２２及びインペラ２４の動作開始から所定時間時間Ｔ９がが経過した場合、水位センサ３０が水位Ｗを検知し、排水管判定動作を開始する（ステップＳ１３３）。水位Ｗが所定水位Ｗ１より高い場合は、汚水及び攪拌された汚物１９が圧送装置８から排出さていないと判断し、以降の排水弁４による洗浄水の供給ならびにパルセータ２２及びインペラ２４の動作をさせない（ステップＳ１１２）。さらに、排水管６が下流側に汚水及び攪拌された汚物１９を圧送できない配管であることを報知手段３２により報知する（ステップＳ１４３）。そのため、排水管６が圧送によって汚水及び攪拌された汚物１９を十分に圧送できない場合において、使用者がそれを知ることができるとともに、給水が行われることがなく、便器本体２からの溢水を防ぐことができる。
【００３７】
次に、本実施形態における試運転モードを示すフローチャートである図４により、試運転モードについて説明する。なお、この試運転モードは、圧送式トイレ装置１を設置した直後、あるいは、圧送式トイレ装置１の電源投入時や、人体検知センサ３４により使用者の長期間の離座を検知した場合等に、運転モード選択手段により選択され試運転モード実行手段により実行される。また、便器本体２からの溢水をより確実に防ぐために、定期的に自動で異常判定動作を行うようにしても良い。
試運転モードがスタートすると（ステップＳ３０１）、制御部９はメモリ９４に記憶された圧送不可能配管フラグＦがオンになっているか否かを判定する（ステップＳ３１２）。
【００３８】
圧送不可能配管フラグＦがオフになっている、即ち排水管６が汚水及び攪拌された汚物１９を圧送不可能な配管ではないと判定している場合（ステップＳ３１２：ＮＯ）、排水弁４が開動作される（ステップＳ３１３）。それにより、ロータンク１０から排水弁４を介して便器本体２内及び貯留槽２０内に水を溜めるために洗浄水が給水される。また、この際、同時に制御部９は時間Ｔ８の間だけ電磁弁１６を開動作させる。ロータンク１０内部の水位の低下に応じてボールタップ１７が動作するため、ロータンク１０内部に電磁弁１６を介して洗浄水が貯留される。
【００３９】
制御部９は、排水弁４の開動作の開始から時間Ｔ１が経過したか否かを判断する（ステップＳ３１５）。時間Ｔ１が経過している場合は、排水弁４を閉止する（ステップ３１７）。時間Ｔ１が経過していない場合は、時間Ｔ１が経過するまで便器本体２及び貯留２０への溜水用の給水を継続する。
【００４０】
続いて、パルセータ２２及びインペラ２４を回転させるモータ２８に電圧Ｖ１を印加し始め（ステップＳ３２５）、洗浄水の排水管６への圧送が開始される。ここで印加される電圧Ｖ１は、上述した洗浄運転モードにおいてモータ２８に印加した電圧Ｖ０よりも小さい電圧である。そのため、上述した洗浄運転モードに比べ、モータ２８はパルセータ２２及びインペラ２４をより低速で回転させる。
【００４１】
次に、制御部９は、モータ２８への電圧の印加開始から時間Ｔ２が経過したか否かを判断する（ステップＳ３２７）。時間Ｔ２が経過している場合は、水位センサ３０により貯留槽２０内部の水位Ｗを検知し（ステップＳ３３３）、排水管６が汚水及び攪拌された汚物１９を圧送可能な配管であるか否かを判定する排水管判定動作を開始する。なお、ステップＳ３１２において、圧送不可能配管フラグＦがオンになっている、即ち排水管６が汚水及び攪拌された汚物１９を圧送不可能な配管であると判定している場合（ステップＳ３１２：ＹＥＳ）、同様に、水位センサ３０により貯留槽２０内部の水位Ｗを検知し（ステップＳ１３３）、排水管判定動作を開始する。
【００４２】
次に、制御部９は、水位Ｗが所定水位Ｗ１より高いか否かを判定する（ステップＳ３３７）。水位Ｗが所定水位Ｗ１より低い場合（ステップＳ３３７：ＹＥＳ）、圧送不可能配管フラグＦにオフをセットする（ステップＳ３３９）。水位Ｗが所定水位Ｗ１より高い場合（ステップＳ３３７：ＮＯ）には、圧送不可能配管フラグＦにオンをセットし（ステップＳ３４１）し、排水管６が汚水及び攪拌された汚物１９を圧送不可能な配管であることを報知手段３２により報知する（ステップＳ３４３）。
【００４３】
続いて、水位Ｗの高さに関わらず、モータ２８に電圧を印加しているか否かを判定する（ステップＳ３４５）。印加していない場合、試運転モードを終了する（ステップＳ３４９）。印加している場合には、モータ２８への電圧印加を停止して攪拌及び圧送を停止し（ステップＳ３４７）、その後、試運転モードを終了する（ステップＳ３４９）。
【００４４】
試運転モードにおいて洗浄水を圧送する際、モータ２８への印加電圧を、上述した洗浄運転モードにおける印加電圧Ｖ０よりも小さい電圧であるＶ１としている（ステップＳ３２５）。即ち、パルセータ２２及びインペラ２４の動作を、洗浄運転モード時よりも低い速度で実行する。それにより、攪拌及び圧送の能力が低減された状態で試運転モードが行われるので、排水管判定動作を行う際に、より確実に圧送が可能な排水管のみが、圧送可能な配管であると判定される。よって、便器本体からの溢水に対する安全性をさらに高めることができる。
【符号の説明】
【００４５】
１…圧送式トイレ装置
２…便器本体
４…排水弁
６…排水管
８…圧送装置
９…制御部
１０…ロータンク
１１…給水操作検知手段
１２…洗浄操作検知手段
１４…ストレーナ
１５…給水経路
１６…電磁弁
１７…ボールタップ
１８…排出口
１９…汚物
２０…貯留槽
２２…パルセータ
２４…インペラ
２６…回転軸
２８…モータ
３０…水位センサ
３０ａ…導圧管
３０ｂ…感圧部
３１…異常検知手段
３２…報知手段
３４…人体検知センサ
９０…ＣＰＵ
９２…タイマ
９４…メモリ
９００…操作受付部
９０２…水位検知部
９０４…異常検知部
９０６…人体検知部
９０８…排水弁駆動部
９０９…電磁弁駆動部
９１０…モータ駆動部
９１２…報知実行部
【図１】
0005979580.tif 000002
【図２】
0005979580.tif 000003
【図３】
0005979580.tif 000004
【図４】
0005979580.tif 000005